(57)【要約】      （修正有）【課題】脱着を容易とし、保湿フィルタを内蔵可能とするマイクカバーを提供する。【解決手段】マイクカバーは、送話口カバー１０ａとフィルタ保持部１０ｂとにネジ式で脱着可能であり、マイクカバーは取り付けフック１７ａと１７ｂによりハンドセットの送話口部の溝に固定し、脱着可能とする。フィルタ保持部１０ｂには取り外し可能な保湿フィルタ１６ａと１６ｂ、および、防水フィルタ１５を内蔵し、ストッパー１８ａと１８ｂの上に載せ、ストッパー１９ａと１９ｂで挟むように固定する。【選択図】図２
0003165078.tif 000002
【実用新案登録請求の範囲】
【請求項１】
マイクに装着するマイクカバーの構造であって、
自マイクカバーを所定のマイクに装着するカバー保持手段と、自マイクカバーの外周に保持される多孔を有する送話口カバーと、前記送話口カバーの内側の前記マイク側に音声を通過させつつ水滴の通過を阻止する防水フィルタを保持する防水フィルタ保持手段と、前記防水フィルタと前記送話口カバーとの間に音声を通過させつつ水分を保持する保湿フィルタを保持する保湿フィルタ保持手段と、前記送話口カバーを保持する送話口カバー保持手段と、を有することを特徴とするマイクカバーの構造。
【考案の詳細な説明】
【技術分野】
【０００１】
本考案は、フィルタの交換が可能なマイクカバーの構造に関するものである。
【背景技術】
【０００２】
従来のマイクカバーの構造は、マイクロホンのヘッドや電話機用ハンドセットの送話口または受話口に、巻き取り式の洗浄シートを露出したマイクカバーをネジや金具を用いて固定し、使用するたびに洗浄シートを巻き取ることにより、次の使用者が清潔な状態で使用できるよう構成されていた。このことは、特許文献１で示されている。
【先行技術文献】
【特許文献】
【０００３】
【特許文献１】特開平６−３２７０８１号公報
【考案の概要】
【考案が解決しようとする課題】
【０００４】
このような従来のマイクカバーの構造は、露出した洗浄シートが直接使用者の口に接触する、洗浄シート自体にホコリや汚れが付着しやすい、巻き取り式であるために巻き取られて収納されている状態では細菌等が増殖する、等から衛生的に不十分な構造である。
【０００５】
また、取り付けがネジ固定式のため、使い終わった洗浄シートの交換が容易でないこと、マイクロホンや電話機用ハンドセット本来のデザイン性を損なうこと、マイクカバーが大型化するため装着可能なマイクロホンや電話機用ハンドセット（以下、マイクロホンと、電話機用ハンドセットの送話口を総称して、マイクともいう。）が限られる、等の欠点がある。
【０００６】
さらに、洗浄シートに抗菌スプレーや芳香剤を吹きかけて使用する場合、吹きかけすぎによる水滴によってマイクの内部回路が破損するという欠点もある。
【０００７】
本考案の課題は、洗浄シートを露出させず、かつ洗浄シート、及びマイクカバーを容易に脱着可能とするマイクカバーの構造を実現することにある。
【課題を解決するための手段】
【０００８】
そこで本考案は、マイクに装着するマイクカバーの構造であって、自マイクカバーを所定のマイクに装着するカバー保持手段と、自マイクカバーの外周に保持される多孔を有する送話口カバーと、前記送話口カバーの内側の前記マイク側に音声を通過させつつ水滴の通過を阻止する防水フィルタを保持する防水フィルタ保持手段と、前記防水フィルタと前記送話口カバーとの間に音声を通過させつつ水分を保持する保湿フィルタを保持する保湿フィルタ保持手段と、前記送話口カバーを保持する送話口カバー保持手段と、を有することを特徴とする。
【考案の効果】
【０００９】
本考案では、マイクカバーに内蔵する保湿フィルタを交換することや取り外した保湿フィルタを水洗いすること、かつマイクカバー自体も水洗い可能とすることにより、清潔な状態を維持できるものである。
【００１０】
マイクロホンや電話機用ハンドセットの本体へのマイクカバーの脱着は、特別な工具を必要とせず容易であり、またデザイン性を損なうことがなく、電話機用ハンドセットを電話機のクレードル部にも適切に置くことが可能な構造である。
【００１１】
マイクカバーに防水フィルタを内蔵することで、マイクカバーに内蔵の保湿フィルタに抗菌スプレー等の抗菌剤、芳香剤を吹きかけて使用する場合に、吹きかけすぎによる水滴でハンドセット本体に内蔵されるマイクロホンの破壊を防止することが可能である。
【００１２】
マイクカバーは、送話口カバーとフィルタ保持部とに脱着可能で、送話口カバーをフィルタ保持部から取り外すことで、使用済みの保湿フィルタを容易に取り外すことが可能である。また送話口カバーは、特別な工具を必要とせず容易に脱着可能である。
【００１３】
またフィルタ保持部には複数の保湿フィルタを内蔵可能であるため、使用済みの保湿フィルタを取り外すことだけで、予備の交換用の保湿フィルタに容易に交換することが可能である。
【図面の簡単な説明】
【００１４】
【図１】本考案のマイクカバーと電話機用ハンドセットの全体構成図
【図２】本考案のマイクカバーの構成図
【考案を実施するための形態】
【００１５】
以下、本考案のマイクカバーの構造を電話機用ハンドセットの実施例について図面をもとに説明する。
【００１６】
図１は、本考案のマイクカバーと電話機用ハンドセットの全体構成図である。ハンドセット本体２０は受話口部２３と送話口部２２により構成される電話機用ハンドセットである。送話口部２２は送話口部の音声穴２１があり、この内部にマイクロホン（送話器）がある。またマイクカバー取付溝２４は、マイクカバー１０を取り付けるための溝であり、マイクカバー１０は送話口部２２に装着して使用する。マイクカバー１０は、送話口カバー１０ａとフィルタ保持部１０ｂに脱着可能である。取付方法の詳細は後述することとする。
【００１７】
図２は、マイクカバーの構成図で、マイクカバーの中心部で見た断面図として記している。この図２を使用し、マイクカバー１０の詳細を説明する。
マイクカバー１０は、送話口カバー１０ａとフィルタ保持部１０ｂとに脱着可能であり、送話口カバー１０ａのネジ勘合部１１ａと１１ｂが、フィルタ保持部１０ｂのネジ勘合部１４ａと１４ｂ（以下、ネジ勘合部１４ａと１４ｂと略す）にネジ式で固定され、特別な工具は必要とせず、使用者の手で脱着可能とする。また、図２はマイクカバーの中心部の断面図であり、送話口カバー１０ａとフィルタ保持部１０ｂは実際には上から見ると円状に繋がっているものとする。ネジ勘合部１４ａと１４ｂも同じく円状である。
【００１８】
送話口カバー１０ａの説明をする。送話口カバー１０ａの音声穴１３ａ、１３ｂ、１３ｃは音声を通過させるための穴であり、ホコリが入らないよう穴の大きさは小さいほうがよく、穴の数量は複数とし、穴の形状は丸形でも角型でもスリット状でもよい。送話口カバー１０ａのストッパー１２ａと１２ｂ（以下、ストッパー１２ａと１２ｂと略す）は、後述する保湿フィルタ１６ａと１６ｂを固定するものである。また、このストッパー１２ａと１２ｂも上から見ると円状に繋がっているものとする。
【００１９】
次にフィルタ保持部１０ｂの説明をする。フィルタ保持部１０ｂも上から見ると円状である。防水フィルタ１５は、フィルタ保持部１０ｂのストッパー１８ａと１８ｂ（以下、ストッパー１８ａと１８ｂと略す）の上に載せ、フィルタ保持部１０ｂのストッパー１９ａと１９ｂ（以下、ストッパー１９ａと１９ｂと略す）で挟むように固定し、ハンドセットを振った程度では防水フィルタ１５は動かず、防水効果が薄れることを防いでいる。ストッパー１９ａと１９ｂはストッパー１８ａと１８ｂより小さくすることで、防水フィルタ１５を上から取り外しやすくしている。またその防水フィルタ１５の上に保湿フィルタ１６ａと１６ｂを載せるように配置する。ここで防水フィルタ１５の直径は、保湿フィルタ１６ａと１６ｂの直径よりも大きくすることで防水効果を高める。保湿フィルタ１６ａと１６ｂの枚数は、図２では２枚の場合を示しているが、１枚でも良いし、また、音響特性に悪影響が出ない程度で複数枚使用してもよい。取り付けフック１７ａと１７ｂは、図１のマイクカバー取付溝２４に固定するためのフックである。
【００２０】
保湿フィルタ１６ａと１６ｂの使用方法について説明する。保湿フィルタ１６ａと１６ｂはスポンジであり、抗菌スプレーや除菌剤、殺菌剤、消臭剤、芳香剤、香水、アロマオイル、医薬品などを吹きかけ液体を保持し、抗菌や除菌効果やリラックス効果等を持たせることができる。このとき、吹きかけすぎによる水滴が発生し、マイクロホン側に水滴が行くことでマイクロホンの内部回路を破損してしまうことを防ぐ目的で、防水フィルタ１５を内蔵する。スプレーなどを吹きかけるには、ハンドセット本体２０にマイクカバー１０を装着した状態で送話口カバー１０ａに向かって吹きかけることも可能であり、保湿フィルタ１６ａと１６ｂを取り外して直接保湿フィルタにスプレーなどを吹きかけてもよい。また通常マイクロホンを使用する場合には、風や使用者の吐息により異音が送出されることを防ぐため、風防用のスポンジを使用するが、この風防用のスポンジ自体の材質を保湿フィルタの材質として使用することで、異音送出防止効果と、及び抗菌や除菌効果、リラックス効果等の複数の効果を得ることが可能である。防水フィルタ１５の材質は、シート状の高分子多孔質体を使用し、水滴を通過させず、空気や音声を通過させるものを使用する。
【００２１】
またマイクカバー１０自体、及び保湿フィルタ１６ａと１６ｂ自体は使用者が簡単に取り外せるため、取り外した保湿フィルタを次のように処理することが可能である。
（１）水やアルコールによる洗浄。
（２）紫外線に代表される電磁波による殺菌。
（３）プラズマクラスターイオンに代表される各種イオンによる除菌。
また、使い捨ても可能で、衛生的に使用することが可能である。
【００２２】
次にマイクカバー１０の材質について説明をすると、デザインや質感を重視する場合は、ハンドセット本体２０と同じプラスチック材質、または金属でもよい。また、ハンドセットへの密着性や脱着性を重視する場合は、弾性のあるゴム材質がよい。そして、弾性のあるゴム材質ならば、図１のマイクカバー取付溝２４の無い既存のハンドセットにも取り付けることが可能であり、送話口部２２が丸形だけに限らず、角型にも対応可能である。さらに、電話機用ハンドセット以外のマイクロホンを使用する機器に使用可能である。例えば携帯電話機に代表される携帯型機器やカラオケ用のマイクが挙げられる。
【００２３】
以上説明したように本考案では、抗菌性の効果が高いため、多数の人が使用する公共の場での利用に向いている。例えば病院、学校、老人ホーム、ホテルが挙げられる。公共の場で使用すると、インフルエンザ等の感染病の感染予防効果を飛躍的に高めることが可能である。
【符号の説明】
【００２４】
１０  マイクカバー
１０ａ  送話口カバー
１０ｂ  フィルタ保持部
１１ａ、１１ｂ  送話口カバーのネジ勘合部
１２ａ、１２ｂ  送話口カバーのストッパー
１３ａ、１３ｂ、１３ｃ  送話口カバーの音声穴
１４ａ、１４ｂ  フィルタ保持部のネジ勘合部
１５  防水フィルタ
１６ａ、１６ｂ  保湿フィルタ
１７ａ、１７ｂ  取り付けフック
１８ａ、１８ｂ、１９ａ、１９ｂ  フィルタ保持部のストッパー
２０  ハンドセット本体
２１  送話口部の音声穴
２２  送話口部
２３  受話口部
２４  マイクカバー取付溝
【図１】
0003165078.tif 000003
【図２】
0003165078.tif 000004